(57)【要約】【課題】  この種のパッキングケースを更に改良すること。【解決手段】  本発明は、蓋（２）とこれを介して塞ぎうる格納室（３）とを備えたパッキングケース（１）であって、パッキングケース（１）内に掃除シート（５）が収容されているものに関する。この種のパッキングケースを更に改良するために、蓋（２）及び／又は格納室（３）に、位置合せ部（１３）が形成され、パッキングケース（１）を掃除機の吸い込みノズル（６）に取り外し容易に取り付け可能になっている。【選択図】図１
2009011842.tif 000002
【特許請求の範囲】
【請求項１】
蓋（２）とこれを介して塞ぎうる格納室（３）とを備えたパッキングケース（１）であって、パッキングケース（１）内に掃除シート（５）が収容されているものにおいて、
パッキングケース（１）を掃除機の吸い込みノズル（６）に取り外し容易に取り付けるために、蓋（２）及び／又は格納室（３）に、位置合せ部（１３）が形成されている、ことを特徴とするパッキングケース。
【請求項２】
位置合せ部（１３）が、掃除機の吸い込みノズルのローラ（１５）を収容するためにストッパ状に形成されている、ことを特徴とする請求項１に記載のパッキングケース。
【請求項３】
蓋（２）の開放及び／又は閉鎖が、掃除シート（５）を取り出すためにパッキングケース（１）に取り付け可能な掃除機の吸込みノズル（６）によって作動されるように、達成されている、ことを特徴とする請求項１の前提部分又は請求項１に記載のパッキングケース。
【請求項４】
掃除シート（５）が多層に形成されかつ密閉層（８）を有し、密閉層（８）がパッキングケース（１）内の取り出される側を向いて配置されている、ことを特徴とする請求項１乃至請求項３のいずれか１項に記載のパッキングケース。
【請求項５】
掃除シート（５）が相互に積層されてパッキングケース（１）内に配置されている、ことを特徴とする請求項１乃至請求項４のいずれか１項に記載のパッキングケース。
【請求項６】
パッキングケース（１）、特に格納室（３）が、掃除機の吸込みノズル（６）をガイドする部分を有する、ことを特徴とする請求項１乃至請求項５のいずれか１項に記載のパッキングケース。
【請求項７】
格納室（３）が蓋で塞がれた状態が、ロックされている、ことを特徴とする請求項１乃至請求項６のいずれか１項に記載のパッキングケース。
【請求項８】
ロックが機械的な機構からなる、ことを特徴とする請求項１乃至請求項７のいずれか１項に記載のパッキングケース。
【請求項９】
ロックが磁石を用いて構成されている、ことを特徴とする請求項１乃至請求項７のいずれか１項に記載のパッキングケース。
【請求項１０】
パッキングケース（１）が、樹脂材料からなる、ことを特徴とする請求項１乃至請求項９のいずれか１項に記載のパッキングケース。
【請求項１１】
パッキングケース（１）が、積層状の厚紙からなる、ことを特徴とする請求項１乃至請求項９のいずれか１項に記載のパッキングケース。
【請求項１２】
パッキングケース（１）が、気密に閉鎖可能である、ことを特徴とする請求項１乃至請求項１１のいずれか１項に記載のパッキングケース。
【請求項１３】
蓋（２）及び／又は格納室（３）は、格納室（３）及び／又は蓋（２）と一体に作用するパッキングが設けられている、ことを特徴とする請求項１乃至請求項１２のいずれか１項に記載のパッキングケース。
【請求項１４】
機械的な機構が、ノッチを用いるロックから構成されている、ことを特徴とする請求項１乃至請求項１３のいずれか１項に記載のパッキングケース。
【請求項１５】
蓋（２）が、パッキングケース（１）の側壁と連携してロックされるために、少なくとも留め金（２０）を有する、ことを特徴とする請求項１乃至請求項１４のいずれか１項に記載のパッキングケース。
【請求項１６】
留め金（２０）が蓋（２）に回動可能に保持されている、ことを特徴とする請求項１乃至請求項１５のいずれか１項に記載のパッキングケース。
【請求項１７】
蓋（２）が、ヒンジを介して開放可能にパッキングケース（１）に固定されている、ことを特徴とする請求項１乃至請求項１６のいずれか１項に記載のパッキングケース。
【請求項１８】
外された留め金（２０）が、蓋が開いた状態でパッキングケース（１）の起立面に蓋（２）を支持するための支持部（１１）をなす、ことを特徴とする請求項１乃至請求項１７のいずれか１項に記載のパッキングケース。
【請求項１９】
蓋（２）が、開かれた後に、掃除機の吸込みノズル（６）用のパッキングケース（１）上への登りの傾斜部（２５）をなす、ことを特徴とする請求項１乃至請求項１８のいずれか１項に記載のパッキングケース。
【請求項２０】
掃除シート（５）が、開放された格納室（３）上の掃除機の吸込みノズルのために、格納室（３）内に座面（２４）に対して面平行に配置されている、ことを特徴とする請求項１乃至請求項１９のいずれか１項に記載のパッキングケース。
【請求項２１】
座面（２４）が水平に構成されている、ことを特徴とする請求項１乃至請求項２０のいずれか１項に記載のパッキングケース。
【請求項２２】
座面（２４）が、登りの傾斜部（２５）と同一面上に広がるように構成されている、ことを特徴とする請求項１乃至請求項２１のいずれか１項に記載のパッキングケース。
【請求項２３】
登りの傾斜部（２５）又は降りの傾斜部（２６）が一体に形成され、蓋（２）が、登りの傾斜部（２５）又は降りの傾斜部（２６）と反対側に開く、ことを特徴とする請求項１乃至請求項２２のいずれか１項に記載のパッキングケース。
【請求項２４】
掃除シートの束（５）が、所定の長さで切り離し可能なシートローラ（２７）として格納室（３）内に収容されている、ことを特徴とする請求項１乃至請求項２３のいずれか１項に記載のパッキングケース。
【請求項２５】
掃除シート（５）の切り離しが、所定の長さでミシン目を介して達成可能である、ことを特徴とする請求項１乃至請求項２４のいずれか１項に記載のパッキングケース。
【請求項２６】
シートローラ（２７）の開放端が、掃除機の吸込みノズル（６）を介した捕獲のために露出している、ことを特徴とする請求項１乃至請求項２５のいずれか１項に記載のパッキングケース。
【請求項２７】
蓋（２）が、格納室（３）の開放面内で移動可能なブラインド（３１）として形成されている、ことを特徴とする請求項１乃至請求項２６のいずれか１項に記載のパッキングケース。
【請求項２８】
ブラインド（３１）の移動が、掃除機の吸込みノズル（６）が引っかかることによって達成可能である、ことを特徴とする請求項１乃至請求項２７のいずれか１項に記載のパッキングケース。
【請求項２９】
ブラインド（３１）を開くことが、ブラインド（３１）に作用するバネ（３３）の力に抗して達成可能である、ことを特徴とする請求項１乃至請求項のいずれか１項に記載のパッキングケース。
【請求項３０】
パッキングケース（１）上への掃除機の吸込みノズル（６）の登り方向における格納室（３）の手前に、掃除機の吸込みノズル（６）に配置された掃除シート（５）の除去手段（３５）が設けられている、ことを特徴とする請求項１乃至請求項２９のいずれか１項に記載のパッキングケース。
【請求項３１】
除去手段（３５）が、掃除機の吸込みノズル（６）から掃除シート（５）を引き剥がすために突き出ている、ことを特徴とする請求項１乃至請求項３０のいずれか１項に記載のパッキングケース。
【請求項３２】
除去手段（３５）が、除去される掃除シート（５）を刻む、ことを特徴とする請求項１乃至請求項３１のいずれか１項に記載のパッキングケース。
【請求項３３】
パッキングケース（１）が、格納室（３）に加えて、使用済みの掃除シート（５）を収容して保存するための保存室（３６）を有する、ことを特徴とする請求項１乃至請求項３２のいずれか１項に記載のパッキングケース。
【請求項３４】
保存室（３６）が気密に密閉可能である、ことを特徴とする請求項１乃至請求項３３のいずれか１項に記載のパッキングケース。
【請求項３５】
パッキングケース（１）が、閉じた状態で水平に向き使用しないときに掃除機の吸込みノズル（６）が止められる停止面（３８）を有する、ことを特徴とする請求項１乃至請求項３４のいずれか１項に記載のパッキングケース。
【請求項３６】
少なくとも蓋（２）の一部が、格納室が閉鎖された状態で掃除機の吸込みノズル（６）の載り上げのために露出している、ことを特徴とする請求項１乃至請求項３５のいずれか１項に記載のパッキングケース。
【請求項３７】
掃除機の吸込みノズル（６）の蓋（２）上への載り上げを介して、パッキングケース（１）が、格納室が開いた状態に切り替えることができる、ことを特徴とする請求項１乃至請求項３６のいずれか１項に記載のパッキングケース。
【請求項３８】
掃除機の吸込みノズル（６）のために床（１２）に横たわる蓋（２）を備えたパッキングケース（１）が、載上げガイド（４２）を有し、これを介して、格納室（３）に載り上げる途中で、パッキングケース（１）が蓋（２）から離される、ことを特徴とする請求項１乃至請求項３７のいずれか１項に記載のパッキングケース。
【請求項３９】
蓋（２）上に更に載り上げる工程で、格納室（３）が、自己の開口に掃除機の吸込みノズル（６）が到達し易くなるように回動する、ことを特徴とする請求項１乃至請求項３８のいずれか１項に記載のパッキングケース。
【請求項４０】
掃除機の吸込みノズル（６）が、掃除シートを取り出す位置で格納室（３）の開口部を覆っていて、格納室（３）がその外側に凸の形状を介して、床（１２）上で回転支持する、ことを特徴とする請求項１乃至請求項３９のいずれか１項に記載のパッキングケース。
【発明の詳細な説明】
【技術分野】
【０００１】
本発明は、まず、蓋とこれを介して塞ぎうる格納室とを備えたパッキングケースであって、パッキングケース内に掃除シートが収容されているものに関する。
【背景技術】
【０００２】
この種のパッキングケースは、知られている。これらは、家事用のシート例えば掃除シートを、一枚ずつ取り出すのに適するように収容する。そのため、そのようなケースは家事用サイズになっている。
【発明の開示】
【発明が解決しようとする課題】
【０００３】
上記の技術の現状に鑑み、本発明の技術的課題は、この種のパッキングケースを更に改良することとして見出される。
【課題を解決するための手段】
【０００４】
この課題は、先ずそして根本的に請求項１の対象によって解決される、そこでは、適切に取り出せるように掃除機の吸込みノズルにパッキングケースに取り付けるために、蓋及び／又は格納室に位置合わせ部が設けられることが提案されている。掃除シートは、底面形状が掃除機の吸込みノズルに合うように、ノズルに取り付けられる。更に、ユーザが接触を回避できるように、掃除機の吸込みノズルを用いて、掃除シートを直接パッキングケースから取り出したいという要望もある。パッキングケースは、この目的で、掃除機の吸込みノズルの掃除シートへの長手方向の位置合わせを容易にする位置合わせ部が設けられている。この位置合わせ部は、蓋及び／又は格納室に設けられるのでもよい、ここにおいて好ましい構成において、蓋は蓋を開いた状態で同時に掃除機の吸込みノズル用の傾斜部として役立つ。位置合わせ部を介して、掃除機の吸込みノズルはその吸込み口が高い取り付け精度で取り付けられ、更に必要に応じて取り出される掃除シートを介して直接減圧で張り付く吸込みノズルの溝に取り付けられる。掃除機の作動によって発生する減圧のみで、パッキングケースから掃除シートが取り出される。
【０００５】
本発明は、さらに、請求項１の前提部分の特徴を有するパッキングケースの発明に関する。この点に関してこの種のパッキングケースを更に改良するために、蓋の開放及び／又は閉鎖が、掃除シートを取り出すためにパッキングケースに取り付けられる掃除機の吸込みノズルを介して作動的に達成される、ことが提案されている。その結果、パッキングケースの開放及び／又は閉鎖は、掃除機の吸込みノズルへのパッキングケース内に格納される掃除シートの装着と関連して行われる。例えば、掃除機の吸込みノズルは、蓋のロックを外すための接触をなくすことができ、その後、パッキングケースの蓋は、自立的、更に例えばバネ支持で開放状態に切り替わっている。蓋は、更に好ましくは、掃除機の吸込みノズル用の登りの傾斜部として役立つ。閉鎖もまた自立的に、例えば掃除機の吸込みノズルを、バネ力で開放状態に移動又は切り替わる上記の開かれた蓋から離した後に実行可能である。提案された解は、単独でも代わりに請求項１の解と関連しても、重要である。
【０００６】
さらに、好ましくは請求項１及び／又は請求項２の特徴との組み合わせにおいて重要である特徴が記載されているが、原則的には請求項１及び／又は請求項２の単一の特徴と組み合わせにおいて又は単独でも重要である特長が記載されている。
【０００７】
取り出しに適したパッキングケースの掃除機の吸込みノズルへの取り付けのための位置合わせ部は、例えば、蓋及び／又は格納室に対応して設けられた、位置合わせされた部材又はストッパによって構成されるのでもよい。本発明による対象の構成において、位置合せ部は、掃除機の吸込みノズルとローラを収容するために加工されたもの、更に例えば蓋の一部に掘られたものである。この加工物に掃除機の吸込みノズルとローラを入れることによって、取り出される掃除シートに対する掃除機の吸込みノズルの正確な位置合わせが達成され、その結果、吸込みノズルは、必要に応じてこれから分岐する吸込み溝を介して、直接掃除シート上に伸びていく。
【０００８】
パッキングケース内に格納される掃除シートは、好ましくは多層に形成されてそれぞれが密閉層を有する。この密閉層は、更に好ましくは、液体も空気も通さず、パッキングケース内の取り出し側に向けられて配置されている。これによって、掃除機の吸込みノズルへの、掃除シートの減圧吸い付け取出し又は吸込みが、補助される。さらに、パッキングケース内に重なって収容された掃除シートのうちの１枚の掃除シートのみが吸込まれることも、また、確保される。パッキングケース内には、例えば５〜１０枚の、更にはまた例えば１３〜１５枚の掃除シートが重ねられて供給されている。
【０００９】
さらに、取り出しに適した掃除機の吸込みノズルの取り付けのために、特に、格納室は、さらに開放されたパッキングケース上に掃除機の吸込みノズルが登るときに両側でのガイドに使用されるガイド部材を有する。この種の、特に側方に配置されたガイド部材は、掃除シートの取り出しに使用されるケースのノズル座面上に面を揃えて吸込みノズルを位置合わせするために、設けられるのでもよい。
【００１０】
本発明による対象の更なる構成において、格納室の蓋を開けた状態はロックされることが提案され、このロックは例えば機械的な機構からなるのでもよい。また、これに関連して、通常の構造ロック機構でもよい。さらにまた、磁石を使用する構成でもよい。
【００１１】
好ましい構成において、パッキングケースは樹脂材料、更には例えば硬質樹脂材料から構成される。この構成は、濡れ掃除シートを選択する場合に好ましい。また、パッキングケースは、対応する層状の厚紙から構成されるのでもよい。
【００１２】
パッキングケースが機密に密閉可能であるとき、特に、濡れ掃除シートがケース内に収容されていることは、選択された掃除シートをできるだけ長い時間保存することを確保するために、更に利点として現れる。蓋及び／又は格納室にはパッキンが設けられているのでもよく、パッキンは相手方と、また格納室及び／又は蓋とも連携して機能する。ここで、パッキンは、例えば、蓋の周縁部に沿って設けられた通常のゴムパッキン又はＴＰＥパッキンを対象とする。ここにおいて、ケースが樹脂材料からなる構成においては、刃状パッキン、テープ状パッキン、又は環状パッキンが対象となりうる。ケースが層状の紙素材からなる場合、密閉部材は、例えば貼り付けられる。
【００１３】
さらに、本発明の典型的な構成において、機械的なロックは、係合ロックを介して構成されている。これは、蓋とパッキングケースとの間で機能し更に好ましくはユーザがマニュアルで解除可能である。さらに、蓋の他の構成において、少なくともパッキングケースの側壁と連携して係止するように留め金が設けられるのでもよい。
【００１４】
これに関連して、複数の留め金、更には例えば２つの留め金が設けられるのでもよい。ここにおいて、さらに後者（２つ）の構成において、これらの留め金は、対向するように設けられ、パッキングケースの対向する側壁と連携して機能するのでもよい。さらに、留め金自身が又は留め金がヒンジを介して蓋に固定可能である場合は更に好ましい。これは、蓋から外れないように配置されている。
【００１５】
他の構成において、蓋はパッキングケースを開放可能にヒンジで軸支されている。パッキングケースが樹脂からなる場合、蓋は、フィルムヒンジ又は同様のものからなる最も簡易な構成を介してケースに回動可能に固定される。留め金を介したロックは、好ましくは、蓋のヒンジ軸に対して下方向を向いた側壁と連携して行われることも可能である。外された留め金は、さらに、蓋が開いた状態で即ち格納室が露出しているときに支持部材をなし、閉鎖されたパッキングケースに対しては座面に対して支持し、対応して通常の使用時では床に対して支持するのでもよい。この結果、蓋は１つの留め金又は複数の留め金によって下側が更に支持される。もって、掃除機の吸込みノズルを蓋上の掃除シート取り出し位置へ載り上げさせることが可能となる。
【００１６】
好ましい構成において、パッキングケースは、掃除シートを格納する格納室上に掃除機の吸込みノズルを載せるために、傾斜部、具体的には屋根状傾斜部を有する。これは、パッキングケースの筐体から直接突き出すように形成されているのでもよい。更に、蓋は、開いた状態でヒンジと反対側の部分で、パッキングケースが載る床上での支持をなす。ここにおいて、登りの傾斜部の傾斜は、格納室上への掃除機の吸込みノズルの載り上げが好適にできるものに調節されている。
【００１７】
掃除シートは、格納室内に、掃除機の吸込みノズルのために開放された格納室上の座面に対して面平行かつ以下のようになるように配置される。まず、これら（シート）は、掃除機の吸込みノズルの取り付け位置において、１枚の掃除シートを取り出せるように、ノズル底部に対して平行に配置されている。そして、掃除シートは、ノズル底部に最も上の掃除シートが面するように格納室内に配置されている。他の好ましい構成において、掃除機の吸込みノズル用の座面は、更には掃除シートも、水平に向けられている。更に好ましい構成において、座面は、登りの勾配部と同一面内に広がり、その結果、登りの傾斜部と同一の勾配となっている。格納室内の座面の下方に格納された掃除シートは、その結果、登りの傾斜部に対して平行な面内の座面に対して面平行に配置されている。
【００１８】
更に、代わりに又は上記の実施例との組み合わせで、パッキングケースには、登りの勾配部又は降りの勾配部が形成されている。ここで、蓋は、登りの勾配部又は降りの勾配部に対してパッキングケースの反対側へ開く。例えば、パッキングケースは、筐体の対応する構成を介して直接、掃除機の吸込みノズル用の登りの勾配部をなす。反対側の、即ち掃除機の吸込みノズルがパッキングケース上に登る方向に繋がる降りの傾斜部は、この構成においては、開けられてその自由端で、床上で支持する蓋からなる。登りの傾斜部と降りの傾斜部とは、ここにおいて等しい勾配を有する。また、登りの傾斜部と降りの傾斜部とで、支持角度が異なるのでもよい。この構成の結果、開放された格納室において掃除シートを取り出すために、掃除機の吸込みノズルを登りの傾斜部を経てパッキングケースの座面上に動かすことが容易な操作が可能になる。また、その後、さらに同一の操作方向にノズルを移動させてパッキングケースの反対側の降りの傾斜部を更に通過させつつ、掃除シートを取り出して掃除機の吸込みノズルに取り付ける操作も可能となる。
【００１９】
同一構成の掃除シートをパッキングケース内に配置する代わりに、本発明による対象の他の構成において、掃除シートが所定の長さで切り離し可能なシートロールとして格納室内に収容されているように、提案されている。ここにおいて、更に好ましくは、シートローラの始端は、掃除機の吸込みノズルを介して捕捉して収容室から露出させるために、突き出ている。掃除機の吸込みノズルを押してパッキングケース上に移動させつつ、シートローラの始端が捕捉され、その後のノズルの更なる前方移動でパッキングケースから引き出される。これは、更に好ましい構成において、掃除機の吸込みノズルを介して掃除シートが同時にノズル底部に対して吸い付けられる。掃除シートが所定の長さになったとき、シートはローラから切り離される。所定の長さに達したときのこの切り離しは、機械的に行われるのでもよい。これに関して、所定の長さでの掃除シートの切り離しが対応するシートローラのミシン目を介して達成可能な構成が好ましい。
【００２０】
パッキングケースが使用されないときに格納室を閉鎖する蓋は、好ましくは、ロック可能蓋状に実現される。蓋は、それに応じて、好ましくは、ヒンジ軸の周りにケースに対して回動可能で強固な平板部材としてとして形成される。代わりに、更に、蓋が、格納室が開放される面内で移動可能なブラインドとして形成されることが、提案される。このブラインドは、パッキングケースが掃除機の吸込みノズルによって通過される途中で捕捉され、格納室を開放するために押されて移動する。閉鎖状態、即ち、ブラインドが元の方向に移動された状態は、掃除機の吸込みノズルがパッキングケースから下へ移動していくときに引きずられて達成される。
【００２１】
代わりに、ブライドの開放は、ブラインド上に作用するバネの力に抗して達成可能である。バネの力は、掃除機の吸込みノズルがパッキングケースから離れる途中でブラインドが閉鎖状態に戻るように、ブラインドを移動させる。
【００２２】
パッキングケースから掃除機の吸込みノズルに掃除シートが装着される前に、必要に応じて、まず、掃除機の吸込みノズルに取り付けられて既に使用された掃除シートが強制的に取り出される。これは、手を介してマニュアルで実行可能である。衛生的で好適な解が達成されている、就ずく、掃除機の吸込みノズルをパッキングケース上に載せる方向に格納室に設けられ、吸込みノズルに配置された掃除シートを除去する手段が設けられている。この構成の結果、掃除機の吸込みノズルをパッキングケース上に登らせる途中で、使い古された掃除シートが自動的に除去される。さらに、この手段は、例えば登りの傾斜部に設けられた突出部又は同様のものであってもよい。好ましくは、掃除機の吸込みノズルから掃除シートを削ぎとる手段が配置される。ここにおいて、更に好ましくは、この手段は、掃除シートを廃棄するために細かくするものである。これにより、この構成の結果、使い古しの掃除シートが掃除機の吸込みノズルから取り除かれるのみならず、吸込み気流が保持された下で、この手段を介して掃除シートが取り除かれ同時に細かくされ掃除機の吸込みノズルを介して吸い込まれて排気される。
【００２３】
使用済みであるがあまり汚れていない掃除シートを格納することを可能にするため、パッキングケースは他の構成において、格納室に加えて、使用された掃除シートを収容して保存するための保存室を有する。この保存室は、好ましくは蓋をすることができるものである。例えば、保存室は格納室の上側に設けられる。ここにおいて、保存室の底部は、格納室の蓋をなすのでもよい。その都度、収容室内の使用済みの掃除シートを使うべきか、それとも新しい掃除シートを格納室から取り出すべきかに応じて、保存室を開放する蓋、又は収容室を開放する蓋と共に収容室が選択される。収容室は、軽く汚れたが使用可能な掃除シートの中間的な保存のために使用される。床の水拭き掃除のためにそのような掃除シートに液体を含ませる限りは、さらに、保存室を機密に閉鎖すること、特に、保存室とこれを閉鎖する蓋との間にパッキンを形成することが提案される。
【００２４】
パッキングケースは、さらに閉鎖された状態で水平に向けられ使用しないときに掃除機の吸込みノズルを止めておく停止面を、有するのでもよい。この停止面は、その結果、好ましい構成において閉じられた蓋を介して構成される。止められた掃除機の吸込みノズルは、ここにおいては、停止位置で、蓋の係合突出部又は同様のものと係合するハンドルを形成するのでもよい。その結果、掃除機の吸込みノズルの停止面からの持ち上げが、係合を介して蓋を直接開けるように作用する。代わりに、蓋はまた、蓋を開放する方向に作用するバネを有し、掃除機の吸込みノズルを蓋の停止位置から外して自立的に開閉状態に切り替わるように、バネ力の下に支持される。
【００２５】
更に代わりに、掃除機の吸込みノズルはまた、例えばパッキングケースと底面形状が合うパッキングケースの収容部を上部に備えるのでもよい。シートを取り出してパッキングケースを再び閉じた後、これ（ケース）はその結果掃除機の吸込みノズル上に取り付け可能になり、掃除シート交換のために常に準備ができている。
【００２６】
他の更に好ましい構成においては、少なくとも蓋の一部は、格納室が閉じられた状態において、掃除機の吸込みノズルの取り上げのために開放されている。蓋は、掃除機の吸込みノズルによって載り上げられて捕獲されるように配置される。ここにおいて、好ましい実施例においては、載り上げを続ける途中でパッキングケースは格納室が開放された状態に切り替えられる。その結果、そのような構成において、蓋は格納室から開くようには動かされず、むしろ、蓋が好ましく固定された状態の下で格納室が開くように回動される。これと連携して更に、パッキングケースが、自己の蓋を介して床の上に載り、吸込みノズル用の載込みガイドが形成され、もって格納室に入り込む途中でパッキングケースから蓋が分離されるように提案される。これ（分離）は、蓋を介して登っていく掃除機の吸込みノズルによって達成される。これ（ノズル）は、まず、入り込み操作において、それ自身の更なる移動の途中で、パッキングケースを捕獲して格納室を開放された状態に切り替える。切り替えは、好ましくは、蓋を更に登る途中で、掃除機の吸込みノズルが開口部に近づきやすいように、格納室が切り替えられるように行われる。掃除シートを取り出す位置において、掃除機の吸込みノズルは、格納室の開口部に重なる。これは、蓋を登り終えた後かつ格納室を取り出し状態に切り替えた後に実現されている。ここにおいて、この状態は、格納室がその外側に凸の構造の結果、床上に回転支持する。これは、掃除機の吸込みノズルが床上にある蓋の上に載り掃除シートを取り出すために回動を介して格納室を開放し、更に掃除シートの取り出しのために吸込みノズルを同一の操作方向に押したときに更に回転する、ロッキングボックスのように実現される。ここにおいて、蓋は、閉じるように格納室が閉じられた状態に自立的に戻る。凸の構成を介して、パッキングケースは、平らに形成された蓋が格納室を閉じるように床上に載る出発状態に自立的になる。
【発明を実施するための最良の形態】
【００２７】
まず、図１に関してはパッキングケース１が記載されており、これ１は図示された実施例において特に内側に積層した厚紙からなる。
【００２８】
パッキングケースは底面形状において長手方向に伸びアスペクト比が約２：１の直角形をなすように構成され、蓋２とこれを介して閉鎖可能な格納室３とを有する。蓋２は、長手方向のエッジ４に沿って並立するパッキングケースの側壁との部分的な連結を介して、長手方向のエッジ４を通って形成される軸ｘの周りに回動可能となっている。
【００２９】
パッキングケース１には、掃除シート５、さらに例えば濡れた掃除シートが収容され、更に図示されない家庭用掃除機の吸込みノズル６に向けて並べられている。掃除シート５は、底面形状に関して吸込みノズル６の底面形状と適合し、更には略等脚台形形状と対応し、台形の短い方の平行脚は、蓋のヒンジの軸ｘをなすケース１の長手方向のエッジ４側に向いている。
【００３０】
多数の掃除シート５がケース１内に格納されている。このために、掃除シート５は、層状に重なるように格納室３内に入れられる。各掃除シートは、多層特に２層に形成され、例えば下方の掃除活性層７とその上に配置され掃除活性層７の広い面に全面で重なる密閉層８とを有する。密閉層８は、例えばシート特に樹脂シートからなり、格納室３内に格納された状態で上に向けられて、即ち、蓋で密閉可能な取り出し口側に向けられて配置されている。両方のシート層は、相互に固定されている。
【００３１】
図２内の構成から更に理解されるように、格納室３はまた、蓋が開いた状態で窓９を有するカバー部１０によって塞がれているのでもよい。ここで、窓９は、底面形状において、格納室３内でカバー部１０の下に収容されている掃除シート５の底面形状と適合している。この解は、特に、掃除シート５が格納室３に層状に積み上げられるように、パッキングケース１が注ぎ足される容器に適する構成において、提供される。代わりに又はこれとの組み合わせで、シートを確実に整列させるために格納室３内に、これらには、側壁が設けられるのでもよい。
【００３２】
蓋２は、開放部材を介して開放可能で９０°の回転によって機能状態にすることができる２つの支持部１１を有し、これら１１は、図３内の構成のように、パッキングケース１を床１２上に載せたときに蓋２の床側の支持として役立つ。
【００３３】
さらに、蓋２は、床１２上で移動可能に支持する周縁部に割り当てられると共に厚紙素材からなり外側に突き出た湾曲部１４状の位置合せ部１３が設けられている。これらは、吸込みノズル６の２つの走行ローラ１５間の間隔に適合するように配置されている。
【００３４】
開放されたパッキングケース１は、図２内の構成のように、取付け可能な吸込みノズル６の完全な取付けを可能にする全体的な底面形状を有する。ここにおいて、更に必要に応じて、パッキングケース１のノズル搭載面は、開けられて床に支持された蓋２の面に広がり、その結果傾いている。
【００３５】
掃除シート５を取り外すために、差し込まれるノズル６は取り外しが適切に行われるようにパッキングケース１に配置される。その一方、ユーザは、手押しの掃除機を介してノズル６を、開いたパッキングケース１において登り傾斜部として役立つ蓋２に、操作方向ｒに位置合せする。これは、ノズル６のローラ１５が割り当てられた蓋２の湾曲部１４に入る位置まで行われる。この位置において、吸込み通路１７又は吸込み口を有する吸込みノズルのヘッド１６は、開いた格納室３の直ぐ上方、それゆえ掃除シートの束の直ぐ上に位置する。吸込み通路１７は、スリット状又は丸穴状の通気口１９を有する装着部１８によって覆われている。
【００３６】
掃除機を作動し、それによって吸込み通路１７内に吸込み空気流が発生していくことによって、最も上の掃除シート５が吸い付けられ、更に減圧を介してノズル６の下側に装着部１８によって支持されて面を揃えて保持される。その結果、ユーザはシートを詰めるために手で触れることを要しない。
【００３７】
格納室３の高さは、そして対応して新しい掃除シートの束の高さも、ノズル６を介した通常の吸引力で、最後、従って格納室３の底にある掃除シート５を確実に吸い付けることができるように調節されている。格納室内には例えば５〜１５枚のそのような掃除シート５が格納される、ここにおいて、各掃除シート５は０．５ｍｍ〜１．５ｍｍ程度の厚さを有する。掃除シート５を厚手の生地素材で構成することによって又は多層構造とすることによって、１．５ｍｍを超える例えば２．５ｍｍの厚さも実現可能である。
【００３８】
代わりに、バネ機構又は同様の機構システムも、掃除シートを上方に押すために利用可能である。そしてここにおいて、バネ力は、最も上の掃除シートが格納室の端部の最小限下、更には例えばカバー部１０の最小限下に継続的に位置するように調節されている。これに関連して、例えばバネ動作が板バネを介するのでもよい。
【００３９】
パッキングケースは、特に濡れ掃除シートを収容する場合は密閉状態となるように完全に閉じられ、そのために、例えば格納室３と一体に機能する蓋の周縁部に沿って、例えば貼り付けられたパッキングが設けられている。また、蓋止め例えば機械的な係合手段又は磁気的な係合手段、が設けられているのでもよい。
【００４０】
図９〜図１１は、第２の実施例に係るパッキングケース１を示す。これは、硬質プラスチック材料からなる。蓋２は図９に示すように閉じられた状態にロックされ、そのために留め金２０が設けられている。これは、蓋２の上側に軸支され、その結果、ヒンジ軸に平行に伸びる軸の周りで回動可能となっている。留め金２０は、軸受け２１からまず蓋２に平行に沿ってヒンジを成す長手方向のエッジ４の方向に伸びる。留め金２０は、さらに、長手方向のエッジ４を覆い、さらに、留め金２０の蓋側の部分に垂直に、対向するパッキングケース１の側壁に沿って平行に伸びる。端部には、ノッチ係合フック２２が形成され、これがパッキングケースのロックを確実にするためにケース１の側壁の受けノッチ２３に係合する。
【００４１】
留め金２０は回動軸の周りで図１０に示す位置に起立させることができ、この位置ではこの起立を安定化するために仮止め又は同様のことが行われている。
【００４２】
これが外れた状態で、留め金２０は図１１に示すように蓋が開けられた状態における支持部１１として役立つ。支持部１１又は留め金２０は、ここにおいては、ノッチ係合フック２２の性質上受けノッチ２３内で蓋を支持する。ここでは、仮止めは行われない。
【００４３】
更に図１１に模式的に図示されているように、吸込みノズル６が、第１の実施例に図示されている解の代わりにローラなしに形成されていて、ケースの窓９上に面全体を揃えて載るのでもよい。パッキングケース１の底面形状は、ここでは、ノズル６の底面形状、特に床に向けられる吸込み面の底面形状に調節されている。ノズル６の位置合せ精度の達成のために、登り方向に関して両側にガイドレール又は同様のものが設けられているのでもよい。
【００４４】
第３の実施例に係るパッキングケース１は、図１２〜図１４に図示されている。これも硬質プラスチックからなり、蓋２が、図１２における断面図のように、閉じられた状態で更にパッキングケースの割り当てられた両方の側壁にロックされている。このために、それぞれに留め金２０が設けられている。これらは、第２の実施例と同様に蓋２の上側で軸支され、側壁側に設けられた受けノッチ２３と係合する。
【００４５】
蓋２を開くために、まず留め金２０がノッチ係合フックを持ち上げて外される（図１３を参照。）。ここでもまた、これらの起立状態の安定化が仮止め又は同様のものによって達成されるのでもよい。
【００４６】
これらが外れた状態において、留め金２０は、図１４に示すように蓋が開いた状態での支持部材１１として役立つ。留め金２０は、ここでは、床１２に対して支持する。
【００４７】
格納室３が開放されているときに格納室３に掃除機の吸込みノズル６を装着するための、掃除機の吸込みノズル６用の座面２４は、掃除シート５を露出させる窓９を有し、掃除シート５によって吸い込み室３内に張られた面に継続的に平行に広がる。例えば、図３に示す実施例に関しては、掃除シート５ゆえに同様に座面２４もパッキングケース１が立つ面（床１２）に対して面平行となる構成が与えられている。登り傾斜部２６として役立つ蓋２は、この結果、座面２４に対して傾斜している。
【００４８】
他の実施例（図１５を参照。）において、座面２４は、登り傾斜部２５又は開かれて登り傾斜部２５をなす蓋２と同一の面内で伸びていくように形成されている。登り傾斜部２５の面と座面２４の面は、その結果、水平に広がる床１２に対して、共通の傾斜面をなす。格納室３内に収容された掃除シート５は、座面２４に対して面平行に配列される結果、起立面（床１２）に対して同様に傾いて広がっている。そしてまた、この実施例においては、取り出される最も上の掃除シート５が格納室３内で掃除機の吸込みノズル６の底に面するように向けられ、これ６の底に向けて取り去られる掃除シート５が並ぶように、確保されている。
【００４９】
更に代わりに、登り傾斜部２５は、必要に応じてパッキングケース１の筐体と一体に形成されているのでもよい。蓋２は、同様の構成において、例えば側方、即ち掃除機の吸込ノズル６の操作方向に直交する方向に開くことができ、又は代わりにパッキングケース１から完全に取り外し可能である。
【００５０】
さらに、蓋２を筐体側に形成された登り傾斜部２５に対して反対側に開くことも可能である。これは、更に、パックングケース１上で掃除機の吸込ノズル６の操作方向ｒに直交する方向に伸びるように向けられているヒンジ軸ｘの周りにも可能である。この種の解は、図１６に模式的に図示されている。蓋２は、ここでは、蓋が開けられた状態で登り傾斜部２５と反対側に降り傾斜部２６を形成し、これはさらに、ここに水平に形成された座面２５に対して傾きを有し、この傾きの大きさは反対側に設けられた登り傾斜部２５のものと同じである。この構成により、掃除機の吸込みノズル６は、ただ１つの操作方向ｒを維持したまま、まず掃除シート５を取り出すために登りの傾斜部２５を経て座面２４上に導かれ、その後、更に移動され続けて、降りの傾斜部２５を経て床面に離れるように導かれることが可能となる。掃除シート５を格納室３に移し替える対応する構成においては、明らかに蓋２も登りの傾斜部２５として使用できる。ここで、降りの傾斜部２６は、パッキングケース１の筐体からなる。
【００５１】
上記の個々の掃除シート５を格納室３内に積み重ねる提案の代わりに、これらはまた、図１７及び図１８の実施例のように、所定の長さで分離可能なシートローラ２７として設けられ、シートローラ２７が格納室３内に収容されるように提案される。シートローラ２７は、蓋２の登りの方向に直交又はヒンジ軸ｘの方向に配置された２つのローラ２８に亘って張られている。ここにおいて、ローラ２８相互の水平距離は、ローラ２８間のシートローラ２７の自由スパン長がこの方向に関する掃除シート５の長さと略一致するように、調節されている。代わりに、シートローラ２７はまた、単一のローラ２８上にのみ巻かれているのでもよい。格納室３内に収容されたシートローラ２７の上側に形成された座面２４は、いずれにしても、掃除機の吸込みノズル６の登り方向に関して所定の長さを有し、少なくともこの方向における掃除シート５の長さに一致する。
【００５２】
シートローラ２７の開放端２９は、掃除機の吸込みノズル６を介した捕獲のために開放されている。図１７の構成のような好ましい構成において、これ２９は、掃除機の吸込みノズル６の登り方向に直交する方向に向けられ更にヒンジ軸ｘに平行して座面２４内に伸びるスリット３０を貫通する。
【００５３】
掃除機の吸込みノズル６をパックングケース１に載せる途中で、掃除機の吸込みノズル６は、さらに、座面２４上で、座面２４を越えて突き出すシートローラ２７の開放端２９を捕獲する。更に好ましくは、これは、掃除機の吸込みノズル６が作動中の支配的な減圧を介して行われることを条件とする。その結果、開放端２９は引き寄せられてノズルの底側に貼り付けられる。掃除機の吸込みノズル６を座面２４上で更に押すことによって、開放端２９が保持され続けてシートローラ２７は巻き解され、吸込み気流の作動するノズルの底側に固定的に取り付けられる。掃除機の吸込みノズル６を載せる工程の終わりに、このように取り出されて固定された掃除シート５の切り取りは、予め決められた長さに亘って行われる。そのために、シートローラ２７は、所定の間隔に亘りシートの長手方向に直交する図示しないミシン目を有する。ミシン目に沿ったこの切り取りは、図示した実施例において引き出されるシート片を張る途中で座面側のスリット３０の端部を介して行われ、この切り取りの後、シートローラ２７の新たな開放端がスリット３０を通って再び突き出して露出している。
【００５４】
図１９〜図２２は、水平に構成された座面を備えたパッキングシート１を基本とする実施例を示し、登り傾斜部２５が更にパッキングケース１の筐体と一体に形成されている。
【００５５】
この実施例の蓋２は、格納室３の窓９を閉じるブラインド３１として形成されている。これ３１は、実質的に水平な面内で引かれて、格納室を閉じた状態にする。ブラインド３１の引き伸ばし方向は、掃除機の吸込みノズル６が座面２４に登る又はこれから降りるときの、登りの方向又は降りの方向に一致する。このために、ブラインド３１は、ブラインドエレメントの引き伸ばし方向に配列され窓９の両側に設けられたレールで、両側がガイドされる。
【００５６】
図１９から図２１に示す実施例において、ブラインド３１は、押す操作で開放状態となり、さらに掃除機の吸込みノズル６の移動と連携して閉鎖状態に戻る。このために、傾斜部側の窓の端部寄りのブラインド端は、載り上げられる掃除機の吸込みノズル６によって捕捉される、突出引出手段３２が設けられている。掃除機の吸込みノズル６を座面２４上に移動させることによって、突出引出手段３２を介してブラインド３１が開かれる。掃除シート５を格納室３から取り出した後の戻りの移動において、突出引出手段３２は一緒に引きずり出されてブラインド３１が引かれ、閉じた状態となる。
【００５７】
代わりに、図２２に図示されているように、ブラインド３１の開放端に作用する伸縮バネ３３が設けられ、これ３３がブラインドを開く移動の途中で掃除機の吸込みノズル６を介して作動されて縮められる。開放状態においては、ブラインド３１は、座面２４上に載っている掃除機の吸込みノズル６によって保持されている。掃除機の吸込みノズル６が座面２４から離される戻り移動の途中で、ブラインド３１は、束縛が取れて伸びようとする伸縮バネ３３のため自立的に閉じる。
【００５８】
ブラインド３１は、図１９、図２０及び図２２に典型的に図示されているように、開放のための移動の行程で蛇腹状に押し合わされ、これが、ブラインド３１を収容しガイドする構造空間に押し込むこととなる。代わりに、図２１に図示されているように、ブラインド３１に、ブラインド３１の移動に適合した収容室３４を提供するように構成することも可能である。これ３４は、例えば、開放状態で伸びるブラインド３１がＵ−字状の断面で掃除シート５用の格納室３を取り囲むように伸びる形状を有する。
【００５９】
新しく新鮮な掃除シート５を取り付ける前の使用済みの掃除シートの除去のために、図２３の構成のような別の構成において、登りの傾斜部２５（ここでは、蓋２によって構成されている。）に割り当てられて、掃除機の吸込みノズル６に保持された掃除シート５の除去手段３５が設けられている。ここにおいて、これは例えば掃除機の吸込みノズルが載り上げる方向に直交する方向に向けられ、犬歯状構成された刃又は同様のものを対象とする。これ（刃等）は、掃除機の吸込みノズル６をパッキングケース１又は座面２４上に載り上げさせる途中で、使用済みの掃除シート５をノズルの底から剥がし取る。ここにおいて、更に好ましくは、掃除シート５が細かくされ、掃除シート片が掃除機の吸込みノズル６を介して直接吸い込まれて取り去られる。
【００６０】
図２４は、パッキングケース１が新鮮で未使用の掃除シート５を有する格納室３の他に保存室３６を備える、他の実施例を示す。これは、例えば汚れの程度のみに基づいて、または必要ならば次の掃除のための付与された湿気の程度のみに基づいて使用可能性が判断される、未使用の掃除シートを保存するために使用される。保存室３６は、格納室３の上方に位置しこれ３を覆うように構成されている。格納室３に対応して、保存室３６は、掃除機の吸込みノズル６が通過していく図示された実施例で水平に構成された座面２４’を有し、これ２４’は、使用された掃除シートを保存室３６内に沈ませて再使用するための窓によって貫通されている。保存室側の窓の広がりと形状は、基本的には格納室３に割り当てられた窓９と同一である。
【００６１】
保存室の底３７は、図示された実施例において格納室３を閉じるための蓋２をなす。使用された掃除シートを収容する保存室３６は格納室３とは独立に閉鎖可能である。このために、開いた状態で登りの傾斜部２５をなすと共にヒンジを介して固定された蓋２’が、上記の実施例に適合するように設けられている。
【００６２】
この蓋２’は、更に好ましくは閉じられた状態で保存室３６を例えば固定部材を介して固定可能に覆っている。更に、好ましくは例えば、保存室側の開口窓に沿って又は代わりに蓋２’部分にパッキングが設けられ、もって、保存室３６中に保存された使用済みの掃除シートの乾燥を防ぐように機能する。
【００６３】
保存室３６は、好ましくは格納室３を開放するために蓋が閉じられた状態でその蓋２’で閉じることができ、これは、蓋２’のヒンジ軸の下方を平行に伸びるように配置されたヒンジ軸ｘの周りで可能である。その結果、この場合、保存室３６を収容するように閉じられるケース部分は、登りの傾斜部２５をなす。
【００６４】
格納室が閉じられた状態においてパッキングケース１の露出している蓋の面は、図２５における実施例のように、特に水平に形成された、掃除機の吸込みノズル６用の停止面３８をなす。そして、掃除の完了まで掃除機の吸込みノズル６を必要に応じてこれに繋がる掃除機と共にパッキングケース１上に取り付けることが可能となる。
【００６５】
図２５と図２６における構成のように、掃除機の吸込みノズル６のこの停止位置において、掃除機の吸込みノズル６と蓋２との間に構造ロックが達成されているのでもよい。これは、例えば、掃除機の吸込みノズル６と蓋２とに対応して形成されたフック状に形成された係合手段３９、４０の構成を介して実現される。この構成の結果、掃除機の吸込みノズル６を持ち上げたとき、係合手段３９、４０を介して蓋２が一体に引きずられ、格納室が開放状態に変わる。係合手段３９、４０間の機械的な係合は蓋２を開けていく中に持ち上げられ、その後、掃除機の吸込みノズル６とパッキングケース１とは相互に分離している。
【００６６】
代わりに、蓋２は図２７内の実施例のようにバネ力で押され、バネ力は蓋を開ける方向に作用している。このために、図示された実施例において、ヒンジ軸ｘに割り当てられて、蓋２を開ける方向に押す２脚バネ４１が設けられている。ここにおいて、バネ力は、停止面３８上に掃除機の吸込みノズル６が止められているときに、ノズルの重力によって格納室３が確実に閉じるように設定されている。これは、さらに例えば、掃除機の吸込みノズル６が持ち上げられ対応して蓋２への加重がなくなった後に、これが自立的に開いた状態に切り替わるような大きさになっている。
【００６７】
パッキングケース１の更に別の構成が、図２８〜図３２に示されている。このパッキングケース１の平面状の蓋２は、図２８のように格納室が閉じられた状態で、平らな床１２上に載っている。格納室３をなすパッキングケース１の筐体は、その結果、格納室３を塞ぐように蓋２上に載る。
【００６８】
蓋２に面するパッキングケース１の筐体面は、上記の実施例と同様に平らな座面２４をなす。これ２４は、図２８に示すような通常状態で、蓋２と面平行に、もって床１２に対しても面平行に構成され、少なくとも蓋２によって部分的に覆われている。
【００６９】
座面２４と反対側の筐体の形状は、基本的に凸形状である。パッキングケース１のヒンジ軸ｘと反対側の部分は、図２８に示すような出発状態で床１２を向いた載込みガイド４２をなす。これは、ヒンジ軸ｘと反対側のパッキングケース１の先端面からヒンジ軸ｘを軸として引っ繰り返される影の部分として形成されている。
【００７０】
床１２上を載込みガイド４２の方向に押し動かされる掃除機の吸込みノズル６は、まず載込みガイド４２において、パッキングケース１の先端側部分を、掻い潜るようにして保持する。ここにおいて、パッキングケース１を更に掻い潜りつつ掃除機の吸込みノズル６を更に押して移動させる工程で、これ又は格納室３を有するケースは、床１２に載る蓋２からヒンジ軸ｘの周りに回転されられる。掃除機の吸込みノズル６は、この後、まず床上に平面的に載っている蓋２上に更に載り上げていく（図２９を参照。）。掃除機の吸込みノズル６を更に押すことによって、パッキングケース１は、凸形状に形成された回転面４３を介して回転しつつひっくり返る。ここにおいて、掃除機の吸込みノズル６を更に押し続けることによって、これは、平らで掃除シート５を取り出すための窓９が設けられた座面２４上に登っていく。この掃除シートの取り出し状態において、掃除機の吸込みノズル６は格納室３の窓９を覆っている。ここで、格納室３又は格納室３を収容するケースは、回転面４３が外側に凸の構成を有する結果、床１２上で回転しながら支持する。掃除機の吸込みノズル６を介して適切に吸い込みつつ、掃除シート５は取り出される（図３０を参照。）。
【００７１】
押す方向を維持しつつ掃除機の吸込みノズル６を更に移動させる途中で、パッキングケース１は、回転面４３を介して次のようにひっくり返る。即ち、これ１は、掃除機の吸込みノズル６がパッキングケース１の蓋２と反対側上を、載込みガイド４２部分を越えて床１２上に滑って離れていくように、ひっくり返る。離れていく掃除機の吸込みノズル６は、回転面４３を介してパッキングケース１を更に回転させるように作用する。ここにおいて、回転工程が終わる前のさらなる回転中に、蓋２は格納室を閉じる位置に戻る（図３２を参照。）。
【００７２】
この構成の結果、パッキングケース１は、掃除シートの取り出し工程で、掃除機の吸込みノズル６の移動方向に直交し更にヒンジ軸ｘに平行な回転軸の周りに完全に３６０°回転するロッキングボックスとして形成される。
【００７３】
最後に、図３３の構成のように、掃除機の吸込みノズル６は、上側に、パッキングケース１と底面形状が合うように構成された取付け部４４を有するのでもよい。これにおいては、例えば掃除シートを取り出した後に、適切に蓋で閉じられたパッキングケース１が取付け可能である。その結果、パッキングケース１は掃除機の吸込みノズル６に取り付けられ、これが、特に交換のために取り付けるとき、掃除シートの交換工程を容易にする、何故ならばパッキングケース１が常に使用のために付いているからである。
【００７４】
開示された全ての特徴は、（それ自体が）発明の要部をなす。これでもってまた、同封／添付の優先権の基礎書面（先の出願のコピー）の公開内容は本願の開示内に十分取り込まれ、また、この書面の目的及び特徴に関しても、先の出願の特許請求の範囲内に含まれている。
【図面の簡単な説明】
【００７５】
【図１】この種のパッキングケースの斜視図であり、開放状態に関する。
【図２】開放された状態でのパッキングケース上面図である。
【図３】図２のＩＩＩ−ＩＩＩ線での断面図である。
【図４】図２のＩＶ−ＩＶ線での断面図である。
【図５】図２に対応する図であるが、取り出しに適したパッキングケースへの掃除機の吸込みノズルの取り付けに関する。
【図６】図３に対応する断面図であるが、掃除機の吸込みノズルが取り付けられている。
【図７】パッキングケースの掃除シートの斜視図である。
【図８】図７のＶＩＩＩ−ＶＩＩＩ線での部分拡大断面図である。
【図９】第１の実施例に係るパッキングケースの長手方向についての断面図であり、蓋が閉じられた状態に関する。
【図１０】ケースと蓋とにわたるヒンジについての断面図であり、支持部材の切り替えに関する。
【図１１】図９に対応する図面であるが、蓋の開放とその支持が支持部材を介して達成されている。
【図１２】他の実施例に係るパッキングケースの断面図であり、蓋が閉鎖された状態に関する。
【図１３】図１２に対応する図であり、蓋のロック解除に関する。
【図１４】蓋が開放されて支持されたときのパッキングケースの側面図である。
【図１５】他の実施例におけるパッキングケースの模式的側断面図であり、蓋が開き格納室上に掃除機の吸込みノズルが配置された状態に関する。
【図１６】図１５に対応する模式的図であり、他の実施例に関する。
【図１７】他の実施例におけるパッキングケースの長手方向の模式的断面図であり、掃除機の吸込みノズルが格納室に載り上げる途中の状態に関する。
【図１８】図１７に対応する図であるが、掃除シートの取り出し状態に関する。
【図１９】パッキングケースの長手方向の断面図であり、ブラインド状に蓋が形成された他の構成に関する。
【図２０】図１９に対応する図であるが、ブラインドが開いた状態に関する。
【図２１】閉じられていくブラインドを有するパッキングケースの他の図であり、途中状態に関する。
【図２２】他の実施例における、閉じられたブラインドを有するパッキングケースの図である。
【図２３】他の実施例におけるパッキングケースの長手方向に関する模式的断面図である。
【図２４】付加的に保存室を有する実施例におけるパッキングケースの長手方向に関する模式的断面図である。
【図２５】蓋が開放された状態におけるパッキングケースの模式的側面図であり、蓋上に掃除機の吸込みノズルが取り付けられている。
【図２６】蓋が開き構造ロックした状態での掃除機の吸込みノズルの前方部分の断面図である。
【図２７】パッキングケースと蓋とにわたるヒンジ部分の断面図であって、蓋がバネで開放方向に押されている。
【図２８】他の実施例におけるパッキングケースの模式的側断面図である。
【図２９】図２８に対応する模式的図面であるが、掃除機の吸込みノズルが蓋上に載ることによって開く工程での途中に関する。
【図３０】図２９に続く図であるが、掃除シートの取り出し状態に関する。
【図３１】図３０に続く図であり、掃除機の吸込みノズルがパッキングケースから離れた後の途中状態に関する。
【図３２】図３１に続く図であり、格納室が閉じる工程の途中におけるパッキングケースに関する。
【図３３】掃除機の吸込みノズルの模式的図面であり、パッキングケースが掃除機の吸込みノズルに収容された実施例に関する。
【符号の説明】
【００７６】
１  パッキングケース
２、２’  蓋
３  格納室
４  長手方向のエッジ
５  掃除シート
６  家庭用掃除機の吸込みノズル
７  掃除活性層
８  密閉層
９  窓
１０  カバー部
１１  支持部
１２  床
１３  位置合せ部
１４  湾曲部
１５  走行ローラ
１６  吸込みノズルヘッド
１７  吸込み通路
１８  装着部
１９  通気部
２０  留め金
２１  軸受け
２２  ノッチ係合フック
２３  受けノッチ
２４、２４’  座面
２５  登り傾斜部
２６  降り傾斜部
２７  シートローラ
２８  ローラ
２９  開放端
３０  スリット
３１  ブラインド
３２  突出引出手段
３３  伸縮バネ
３４  収容室
３５  除去手段
３６  保存室
３７  保存室の底
３８  停止面
３９、４０  係合手段
４１  ２脚バネ
４２  載込みガイド
４３  回転面
４４  取付け部
ｒ  操作方向
ｘ  ヒンジの軸
【図１】
2009011842.tif 000003
【図２】
2009011842.tif 000004
【図３】
2009011842.tif 000005
【図４】
2009011842.tif 000006
【図５】
2009011842.tif 000007
【図６】
2009011842.tif 000008
【図７】
2009011842.tif 000009
【図８】
2009011842.tif 000010
【図９】
2009011842.tif 000011
【図１０】
2009011842.tif 000012
【図１１】
2009011842.tif 000013
【図１２】
2009011842.tif 000014
【図１３】
2009011842.tif 000015
【図１４】
2009011842.tif 000016
【図１５】
2009011842.tif 000017
【図１６】
2009011842.tif 000018
【図１７】
2009011842.tif 000019
【図１８】
2009011842.tif 000020
【図１９】
2009011842.tif 000021
【図２０】
2009011842.tif 000022
【図２１】
2009011842.tif 000023
【図２２】
2009011842.tif 000024
【図２３】
2009011842.tif 000025
【図２４】
2009011842.tif 000026
【図２５】
2009011842.tif 000027
【図２６】
2009011842.tif 000028
【図２７】
2009011842.tif 000029
【図２８】
2009011842.tif 000030
【図２９】
2009011842.tif 000031
【図３０】
2009011842.tif 000032
【図３１】
2009011842.tif 000033
【図３２】
2009011842.tif 000034
【図３３】
2009011842.tif 000035